(57)【要約】【課題】コネクタの薄型化を達成しながらコンタクト及びカードの寿命を長くする。【解決手段】カード受入れ領域１１１を設けたコネクタ本体１１０と、コネクタ本体に、弾性変形により接点１２１がカード受入れ領域の付近で厚さ方向に変位できるように設けられたコンタクト１２０と、コネクタ本体又はコンタクトに、厚さ方向に移動してコンタクトの接点を厚さ方向に変位させるように設けられたフォロワ１３０と、コネクタ本体に、厚さ方向への移動を規制されると共に、カード２００と共に奥行き方向に沿ってスライドし、フォロワを厚さ方向に移動させるように設けられたスライダ１４０とを備え、カードが厚さ方向にみてコンタクトの接点と重なるときはコンタクトの接点をカード受入れ領域から離れる方向へ変位させ、カードがカード受入れ領域にあるときはコンタクトの接点がカードの端子に接触圧をもって接触するようにしたカード用コネクタ１００。【選択図】  図１
2005019341.tif 000002
【特許請求の範囲】
【請求項１】
互いに直交する奥行き方向、幅方向、及び厚さ方向をとったときに、厚さ方向にみて幅方向に延びる二辺及び奥行き方向に延びる二辺を有し且つ厚さ方向の端面に端子を有するカードが奥行き方向に沿って挿入又は抜去されるカード用コネクタであって、
厚さ方向の一方側に、奥行き方向の手前から奥に向かって挿入されたカードが位置づけられるカード受入れ領域が設けられたコネクタ本体と、
コネクタ本体に、弾性変形により接点がカード受入れ領域の付近で厚さ方向に変位できるように設けられたコンタクトと、
コネクタ本体又はコンタクトに、厚さ方向に移動してコンタクトの接点を厚さ方向に変位させるように設けられたフォロワと、
コネクタ本体に、厚さ方向への移動を規制されると共に、挿入又は抜去されるカードと共に奥行き方向に沿ってスライドし、フォロワを厚さ方向に移動させるように設けられたスライダとを備え、
カードが厚さ方向にみてコンタクトの接点と重なるときはコンタクトの接点をカード受入れ領域から離れる方向へ変位させ、カードがカード受入れ領域にあるときはコンタクトの接点がカードの端子に接触圧をもって接触するように構成したことを特徴とするカード用コネクタ。
【請求項２】
スライダが、フォロワに乗り上げて相対的にフォロワを厚さ方向に沿ってカード受入れ領域から離れる方向へ押しのけるように設けられており、
スライダのフォロワへの乗り上げ面が、奥行き方向に沿って厚さ方向に変化しており、
これによってカードが厚さ方向にみてコンタクトの接点と重なるときはコンタクトの接点をカード受入れ領域から離れる方向へ変位させ、カードがカード受入れ領域にあるときはコンタクトの接点がカードの端子に接触圧をもって接触するように構成した請求項１のカード用コネクタ。
【請求項３】
コネクタ本体との間でスライダを狭持するカバーが設けられ、コネクタ本体及びカバーによってスライダの厚さ方向への移動を規制している請求項１又は請求項２のカード用コネクタ。
【請求項４】
コンタクトが、導電性の弾性材料よりなり且つ奥行き方向に沿って延びる板片であり、一端が自由端になって厚さ方向に変位できようにコネクタ本体に設けられており、この自由端に接点が設けられ、この接点よりも先端側にカード受入れ領域側からフォロワが接触している請求項１ないし請求項３のうちいずれか１項のカード用コネクタ。
【請求項５】
スライダが、コンタクトに対して幅方向にずれて設けられている請求項１ないし請求項４のうちいずれか１項のカード用コネクタ。
【請求項６】
コネクタ本体に、スライダを奥行き方向の手前へ付勢する付勢部材が設けられている請求項１ないし請求項５のうちいずれか１項のカード用コネクタ。
【請求項７】
コネクタ本体に、カードの奥行き方向の手前に面する端面に係止するストッパが設けられている請求項１ないし請求項６のうちいずれか１項のカード用コネクタ。
【発明の詳細な説明】
【０００１】
【発明の属する技術分野】
本発明は、カードが挿入又は抜去されるカード用コネクタの技術分野に属するものである。
【０００２】
【従来の技術】
特許文献１は、読み取り接触部と端部位置スイッチを形成するスイッチ接触部が位置する接触支持部を備え、上記読み取り接触部の接触尖端部が、チップカードリーダ内に挿入されるとともに読み取り位置に位置しているチップカードの底面に位置する接触領域に接触するようになっているチップカードリーダを開示している。
【０００３】
特許文献２は、カード用コネクタを開示する。このコネクタは、コンタクトを備えたベースインシュレータに対してカバーインシュレータを回動自在に設け、このカバーインシュレータに保持された接続対象物を押圧することにより接続対象物の端子とコンタクトの接触部とを接触させるようにしている。接続対象物を押圧するためにベースインシュレータには接続対象物の先端部と係合する傾斜面を設けている。この傾斜面と係合することにより回動する接続対象物の先端部を受け止め、この先端部と共にカバーインシュレータを回動させるために、カバーインシュレータには、接続対象物の先端部と当接する受け部を設けている。更に、接続時に接続対象物の平坦な状態を保つための平坦部を設けている。このコネクタは、接続対象物及びコンタクトを痛めることがなく、しかも接続の信頼性が高い。
【０００４】
特許文献３及び特許文献４は、特許文献２のカード用コネクタと同様の基本構造を有するカード用コネクタを開示している。
【０００５】
【特許文献１】
特表平５−５０６７３４号公報
【特許文献２】
特開平９−３１２１８４号公報
【特許文献３】
特開平１０−１１２３５０号公報
【特許文献４】
特開平１０−１４４４２１号公報
【０００６】
【発明が解決しようとする課題】
特許文献１のチップカードリーダは、チップカードの先端部が読み取り接触部の接触尖端部を超えてからチップカードが読み取り位置に位置するまでの間、チップカードの先端部はチップカードと摺接し続けるため、チップカードと読み取り接触部の接触尖端部との相対的な摺動距離が長く、チップカード及び読み取り接触部の接触尖端部が傷みやすく、寿命が短いという問題があった。これに対して、特許文献２のカード用コネクタは、コンタクトの接続対象物に対する相対的な摺動距離が短くなるので、コンタクト及び接続対象物の傷みを防止することができ、寿命を長くすることができる。
【０００７】
しかし、特許文献２のカード用コネクタは、接続対象物を厚さ方向に移動させて接続対象物の端子とコンタクトの接触部とを接触させる構造であるため、コネクタが分厚くなり、コンパクト化を進めることができない。
【０００８】
本発明は、このような点に着目してなされたもので、その目的とするところは、カードの挿入時及び抜去時にはコンタクトの接点をカードから離れる方向へ移動させてカードに接触させないようにして、コネクタの薄型化を達成しながら、コンタクトのカードに対する摺動距離を短くし又は無くして、コンタクト及びカードの傷みを防止し、寿命を長くすることにある。
【０００９】
【課題を解決するための手段】
上記目的を達成するため、請求項１のカード用コネクタは、互いに直交する奥行き方向、幅方向、及び厚さ方向をとったときに、厚さ方向にみて幅方向に延びる二辺及び奥行き方向に延びる二辺を有し且つ厚さ方向の端面に端子を有するカードが奥行き方向に沿って挿入又は抜去されるカード用コネクタであって、厚さ方向の一方側に、奥行き方向の手前から奥に向かって挿入されたカードが位置づけられるカード受入れ領域が設けられたコネクタ本体と、コネクタ本体に、弾性変形により接点がカード受入れ領域の付近で厚さ方向に変位できるように設けられたコンタクトと、コネクタ本体又はコンタクトに、厚さ方向に移動してコンタクトの接点を厚さ方向に変位させるように設けられたフォロワと、コネクタ本体に、厚さ方向への移動を規制されると共に、挿入又は抜去されるカードと共に奥行き方向に沿ってスライドし、フォロワを厚さ方向に移動させるように設けられたスライダとを備え、カードが厚さ方向にみてコンタクトの接点と重なるときはコンタクトの接点をカード受入れ領域から離れる方向へ変位させ、カードがカード受入れ領域にあるときはコンタクトの接点がカードの端子に接触圧をもって接触するように構成したことを特徴としている。
【００１０】
カードの挿入時、スライダにカードを載せ、カードを奥行き方向に沿って奥へ押すと、スライダはカードと共に奥へスライドし、カードはカード受入れ領域に位置づけられる。カードの抜去時、カードを奥行き方向に沿って手前へ移動させると、スライダはカードと共に手前へスライドし、カードはカード受入れ領域から離れる。その場合、カードが厚さ方向にみてコンタクトの接点と重なるときはスライダによりフォロワがカード受入れ領域から離れる方向へ移動し、コンタクトの接点が同方向へ変位するので、接点とカードとの間に隙間があき、接点はカードに接触しない。そして、カードがカード受入れ領域に位置するとコンタクトの接点がカードの端子に接触圧をもって接触するので、カードの端子とコンタクトとが電気的接触を果たす。そのため、コンタクトのカードに対する摺動距離が短くなり又は無くなり、コンタクト及びカードの傷みが防止され、寿命が長くなる。以上の一連の動きでカードは厚さ方向に移動しないので、カード用コネクタの薄型化が達成される。
【００１１】
請求項２は、請求項１のカード用コネクタにおいて、スライダが、フォロワに乗り上げて相対的にフォロワを厚さ方向に沿ってカード受入れ領域から離れる方向へ押しのけるように設けられており、スライダのフォロワへの乗り上げ面が、奥行き方向に沿って厚さ方向に変化しており、これによってカードが厚さ方向にみてコンタクトの接点と重なるときはコンタクトの接点をカード受入れ領域から離れる方向へ変位させ、カードがカード受入れ領域にあるときはコンタクトの接点がカードの端子に接触圧をもって接触するように構成している。
【００１２】
このようにすれば、スライダが奥行き方向に沿ってスライドするときに、スライダの乗り上げ面の変化に倣ってフォロワの移動及びコンタクト接点の変位が生じる。そして、簡単な構成でもってコンタクトの接点とカードの端子との間の隙間を調整することができる。
【００１３】
請求項３のカード用コネクタは、請求項１又は請求項２のカード用コネクタにおいて、コネクタ本体との間でスライダを狭持するカバーが設けられ、コネクタ本体及びカバーによってスライダの厚さ方向への移動を規制している。
【００１４】
このようにすれば、簡単な構成でもってスライダの厚さ方向への移動を規制することができる。
【００１５】
請求項４のカード用コネクタは、請求項１ないし請求項３のうちいずれか１項のカード用コネクタにおいて、コンタクトが、導電性の弾性材料よりなり且つ奥行き方向に沿って延びる板片であり、一端が自由端になって厚さ方向に変位できようにコネクタ本体に設けられており、この自由端に接点が設けられ、この接点よりも先端側にカード受入れ領域側からフォロワが接触している。
【００１６】
このようにすれば、フォロワがコンタクトに接触する位置がコンタクトの自由端における先端側であるので、接点を変位させるに必要なフォロワの押しのけ力が小さくなり、操作性が向上する。
【００１７】
請求項５のカード用コネクタは、請求項１ないし請求項４のうちいずれか１項のカード用コネクタにおいて、スライダが、コンタクトに対して幅方向にずれて設けられている。
【００１８】
このようにすれば、スライダ及びコンタクトが厚さ方向に干渉するおそれがないので、カード用コネクタを更に薄型化することができる。
【００１９】
請求項６のカード用コネクタは、請求項１ないし請求項５のうちいずれか１項のカード用コネクタにおいて、コネクタ本体に、スライダを奥行き方向の手前へ付勢する付勢部材が設けられている。
【００２０】
このようにすれば、カードを抜去するときに要する抜去力が少なくて済む。
【００２１】
請求項７のカード用コネクタは、請求項１ないし請求項６のうちいずれか１項のカード用コネクタにおいて、コネクタ本体に、カードの奥行き方向の手前に面する端面に係止するストッパが設けられている。
【００２２】
このようにすれば、カードが不用意に飛び出すことが防止される。
【００２３】
【発明の実施の形態】
以下、本発明の実施の形態を説明する。図２ないし図４は本発明のカード用コネクタの第１の実施形態を示す。このカード用コネクタ１００は、例えばプリント配線板（図示省略）に実装される。互いに直交する奥行き方向、幅方向、及び厚さ方向を想定し、これらの方向付けを利用して説明する。この実施形態のカード用コネクタ１００の場合、図２で説明すれば、図の上下方向が奥行き方向であり、図の上方が奥行き方向の奥、下方が奥行き方向の手前である。また、図の左右方向が幅方向であり、図の紙面に垂直な方向が厚さ方向である。このカード用コネクタ１００では、例えば図１２に示すようなカード２００が挿入又は抜去される。カード２００においても方向付けは同様であり、図１２で例示すれば、図の上下方向が奥行き方向であり、図の上方が奥行き方向の奥、下方が奥行き方向の手前である。また、図の左右方向が幅方向であり、図の紙面に垂直な方向が厚さ方向である。カード２００は、厚さ方向にみて幅方向に延びる二辺２０１及び奥行き方向に延びる二辺２０２を有している。カード２００の厚さ方向の端面には端子２０３が設けられている。カード２００は、カード用コネクタ１００に奥行き方向に沿って挿入又は抜去される。
【００２４】
図１は、カード用コネクタ１００から後述するカバー１５０を取り外した図であるが、この図において、１１０はカード用コネクタ１００の本体を構成するコネクタ本体である。コネクタ本体１１０は、コネクタ本体１１０は、ほぼ板状に形成されており、厚さ方向の一方側に、奥行き方向の手前から奥に向かって挿入されたカード２００が位置づけられるカード受入れ領域１１１が設けられている。このカード受入れ領域１１１は各図中で、このカード受入れ領域１１１に位置づけられたときのカード２００を示す線でもって間接的に示している。この実施形態の場合、カバー１５０が設けられているので、カード受入れ領域１１１はコネクタ本体１１０とカバー１５０との間に設けられている。このコネクタ本体１１０には、コンタクト１２０と、フォロワ１３０と、スライダ１４０とが設けられている。コネクタ本体１１０は、少なくともコンタクト１２０と接触する部分が絶縁体で形成されている。
【００２５】
図７及び図８に示すように、コンタクト１２０はコネクタ本体１１０に、弾性変形により接点１２１がカード受入れ領域１１１の付近で厚さ方向に変位できるように設けられている。コンタクト１２０は導電性の弾性材料よりなり且つ奥行き方向に沿って延びる板片である。コンタクト１２０は、一端が自由端になって厚さ方向に変位できようにコネクタ本体１１０に設けられており、この自由端に接点１２１が設けられている。コンタクト１２０には接続部１２２が設けられ、この接続部１２２が例えばプリント配線板等の外部部材に例えば半田付けなどにより接続される。図では一対のコンタクト１２０が自由端同士が奥行き方向に沿って向かい合うように配置され、この対が幅方向に４対並べられ、これによって８極の接点が設けられているが、これによって本発明のカード用コネクタのコンタクトの数、配置が限定されるものではない。
【００２６】
フォロワ１３０はコネクタ本体１１０に、厚さ方向に移動してコンタクト１２０の接点１２１を厚さ方向に変位させるように設けられている。フォロワ１３０はコンタクト１２０に対して厚さ方向の一方側に配置されている。図７及び図８に示すように、フォロワ１３０をコンタクト１２０に対してカード受入れ領域１１１に近い側に設け、フォロワ１３０がカード受入れ領域１１１から離れる方向に移動するとフォロワ１３０がコンタクト１２０を押して同方向へ移動させるようにしてもよいが、フォロワ１３０をコンタクト１２０に対してカード受入れ領域１１１から遠い側に設け且つコンタクト１２０に係止し、フォロワ１３０がカード受入れ領域１１１から離れる方向に移動するとフォロワ１３０がコンタクト１２０を引いて同方向へ移動させるようにしてもよい。フォロワ１３０の奥行き方向及び幅方向への移動を規制し、厚さ方向への過度の移動を規制するストッパを設けることが好ましい。この実施形態では、フォロワ１３０は板片よりなり、コンタクト１２０を横切るように配置されており、フォロワ１３０における幅方向の両端１３１を、コネクタ本体１１０に幅方向に開口する嵌合孔１１２に緩く嵌合することでこれを実現している。また、この実施形態では、フォロワ１３０の両端１３１を厚さ方向へ段違いになるように折り曲げ、材料の可撓性によってこの折り曲げ部が弾性的に厚さ方向に撓むようにしているが、こうするか否かは任意である。フォロワをコネクタ本体に設けずにコンタクトに設け、厚さ方向に移動してコンタクトの接点を厚さ方向に変位させるようにしてもよい。フォロワ１３０は少なくともコンタクト１２０と接触する部分が絶縁体で形成されている。
【００２７】
スライダ１４０はコネクタ本体１１０に、厚さ方向への移動を規制されるように設けられている。またスライダ１４０は、挿入又は抜去されるカード２００と共に奥行き方向に沿ってスライドし、フォロワ１３０を厚さ方向に移動させるように設けられている。図１、図６及び図７に示すように、この実施形態では、スライダ１４０は板片よりなり、このスライダ１４０がコネクタ本体１１０に奥行き方向に沿って設けられた溝１１３にスライド可能に嵌合することで奥行き方向に沿ってスライドするようにしている。溝１１３は、図８に示すように幅方向の片側が開放されていてもよいし、幅方向の両側に壁が立ち上がっていてもよい。図１に示すように、スライダ１４０の載置面１４１の奥行き方向の奥には厚さ方向に係止壁１４３が立ち上がってカード２００の奥行き方向の奥に面する端面２０４を受け止めるようになっており、これによってスライダ１４０は挿入されるカード２００と共に奥行き方向に沿ってスライドするようになっている。また、後述する付勢部材１６０の付勢力により、スライダ１４０は抜去されるカード２００と共に奥行き方向に沿ってスライドするようになっている。スライダにカードの端縁を係止して保持することにより、スライダが挿入又は抜去されるカードと共に奥行き方向に沿ってスライドするようにしてもよい。
【００２８】
そして、図１に示すように、カード２００が厚さ方向にみてコンタクト１２０の接点１２１と重なるときはコンタクト１２０の接点１２１をカード受入れ領域１１１から離れる方向へ変位させ、図９に示すように、カード２００がカード受入れ領域１１１にあるときはコンタクト１２０の接点１２１がカード２００の端子２０３に接触圧をもって接触するように構成されている。
【００２９】
この実施形態の場合、図７に示すように、スライダ１４０の厚さ方向の端面のうちカード受入れ領域１１１に近い側の端面がカード２００が載る載置面１４１に形成され、カード受入れ領域１１１から遠い側の端面が乗り上げ面１４２に形成されている。そして、スライダ１４０が、フォロワ１３０に乗り上げて相対的にフォロワ１３０を厚さ方向に沿ってカード受入れ領域１１１から離れる方向へ押しのけるように設けられている。その場合、載置面１４１はほぼ平面状であり、スライダ１４０のフォロワ１３０への乗り上げ面１４２が、奥行き方向に沿って厚さ方向に変化しており、これによってカード２００が厚さ方向にみてコンタクト１２０の接点１２１と重なるときは、載置面１４１と乗り上げ面１４２との間の厚さが所定厚さになってコンタクト１２０の接点１２１をカード受入れ領域１１１から離れる方向へ変位させ、カード２００がカード受入れ領域１１１にあるときは載置面１４１と乗り上げ面１４２との間の厚さが上記所定厚さよりも薄くなってコンタクト１２０の接点１２１がカード２００の端子２０３に接触圧をもって接触するように構成している。乗り上げ面１４２の、奥行き方向に沿った厚さ方向に変化は、階段状の変化であってもよいが、図７に示すように斜面による連続的な変化にすれば、フォロワ１３０の移動及びコンタクト１２０の接点１２１の変位がスムーズに行われるので好ましい。
【００３０】
図２ないし図４、図６及び図７に示すように、コネクタ本体１１０の厚さ方向の一方側には、コネクタ本体１１０との間でスライダ１４０を狭持するカバー１５０が設けられ、コネクタ本体１１０及びカバー１５０によってスライダ１４０の厚さ方向への移動を規制している。
【００３１】
図７に示すように、コンタクト１２０は、導電性の弾性材料よりなり且つ奥行き方向に沿って延びる板片であり、一端が自由端になって厚さ方向に変位できようにコネクタ本体１１０に設けられており、この自由端に接点１２１が設けられ、この接点１２１よりも先端側にカード受入れ領域側からフォロワ１３０が接触している。
【００３２】
図１に示すように、スライダ１４０は、コンタクト１２０に対して幅方向にずれた位置において奥行き方向に沿ってスライドできるように設けられている。スライダ１４０は、コンタクト１２０に対して幅方向の両側に設ければフォロワ１３０への力の伝達がスムーズになって好ましいが、一方側にのみ設けるようにしてもよい。
【００３３】
図１に示すように、コネクタ本体１１０には、スライダ１４０を奥行き方向の手前へ付勢する付勢部材１６０が設けられている。この実施形態では、コイルスプリングで付勢部材１６０を構成し、その奥行き方向の手前の端部をコネクタ本体１１０に掛け、奥の端部をスライダ１４０に掛けて、この弾性復元力による引っ張り力によってスライダ１４０を奥行き方向の手前へ付勢するようにしている。付勢部材はコイルスプリングに限るものではなく、他の弾性部材で構成してもよい。
【００３４】
図１に示すように、コネクタ本体１１０には、カード２００の奥行き方向の手前に面する端面２０５に係止するストッパ１７０が設けられている。この実施形態では、コネクタ本体１１０の幅方向の一方側において、奥行き方向の奥から手前に向かって延びる片持ち式のレバーを延ばし、このレバーによってストッパ１７０を構成している。このストッパ１７０の先端には、カード受入れ領域１１１に向かって突出する突起１７１が設けられている。カード２００の挿入時にはカード２００の幅方向の端面が突起１７１に当たることで突起１７１が幅方向外側に変位するようにストッパ１７０の可撓性によって撓ませ、カード２００がカード受入れ領域１１１に位置すると、ストッパ１７０の弾性復元力によって突起１７１が幅方向内側に変位してカード２００の奥行き方向の手前に面する端面２０５に係止し、これによってカード２００が奥行き方向の手前に飛び出すことを防止している。カード２００の抜去時にはストッパ１７０の先端を幅方向外側に押しやれば、突起１７１がカード２００の端面２０５から外れて抜去できるようになる。さらに、コネクタ本体１１０又はカバー１５０には、幅方向内側に突出し、幅方向外側に押されることで弾性変形する制動部材１８０が設けられ、これが挿入されたカード２００の幅方向に面する端面に弾性力をもって接触することでカード２００が奥行き方向の手前に飛び出すことを防止している。本発明は、このような制動部材を設けない実施形態を含む。
【００３５】
従って、カード２００の挿入時、図１に示すように、スライダ１４０にカード２００を載せ、カード２００を奥行き方向に沿って奥へ押すと、スライダ１４０はカード２００と共に奥へスライドし、図９に示すように、カード２００はカード受入れ領域１１１に位置づけられる（図１０及び図１１の実線矢印の方向の変化）。カード２００の抜去時、カード２００を奥行き方向に沿って手前へ移動させると、スライダ１４０はカード２００と共に手前へスライドし、カード２００はカード受入れ領域１１１から離れる（図１０及び図１１の点線矢印の方向の変化）。その場合、カード２００が厚さ方向にみてコンタクト１２０の接点１２１と重なるときはスライダ１４０によりフォロワ１３０がカード受入れ領域１１１から離れる方向へ移動し、コンタクト１２０の接点１２１が同方向へ変位するので、接点１２１とカード２００との間に隙間があき、接点１２１はカード２００に接触しない。そして、カード２００がカード受入れ領域１１１に位置するとコンタクト１２０の接点１２１がカード２００の端子２０３に接触圧をもって接触するので、カード２００の端子２０３とコンタクト１２０とが電気的接触を果たす。そのため、コンタクト１２０のカード２００に対する摺動距離が短くなり又は無くなり、コンタクト１２０及びカード２００の傷みが防止され、寿命が長くなる。以上の一連の動きでカード２００は厚さ方向に移動しないので、カード用コネクタ１００の薄型化が達成される。
【００３６】
本発明のカード用コネクタは、例えばカム、リンクなどを利用した機構によってスライダとフォロワとを接続し、これによってスライダがスライドすると、フォロワを厚さ方向に沿って移動させるように構成した実施形態を含む。その場合、例えばスライダの幅方向の端面に奥行き方向に延びる溝を切り、この溝にフォロワの幅方向の端部をスライド可能に嵌合するようにしてもよい。これに対して上記実施形態の場合、図７に示すように、スライダ１４０が、フォロワ１３０に乗り上げて相対的にフォロワ１３０を厚さ方向に沿ってカード受入れ領域１１１から離れる方向へ押しのけるように設けられており、スライダ１４０のフォロワ１３０への乗り上げ面１４２が、奥行き方向に沿って厚さ方向に変化しており、これによってカード２００が厚さ方向にみてコンタクト１２０の接点１２１と重なるときはコンタクト１２０の接点１２１をカード受入れ領域１１１から離れる方向へ変位させ、カード２００がカード受入れ領域１１１にあるときはコンタクト１２０の接点１２１がカード２００の端子２０３に接触圧をもって接触するように構成している。このようにすれば、スライダ１４０が奥行き方向に沿ってスライドするときに、スライダ１４０の乗り上げ面１４２の変化に倣ってフォロワ１３０の移動及びコンタクト接点１２１の変位が生じる。そして、簡単な構成でもってコンタクト１２０の接点１２１とカード２００の端子２０３との間の隙間を調整することができる。
【００３７】
本発明のカード用コネクタは、例えば保持機構によってスライダの厚さ方向への移動を規制するようにした実施形態を含む。これに対して上記実施形態の場合、コネクタ本体１１０との間でスライダ１４０を狭持するカバー１５０が設けられ、コネクタ本体１１０及びカバー１５０によってスライダ１４０の厚さ方向への移動を規制している。このようにすれば、簡単な構成でもってスライダ１４０の厚さ方向への移動を規制することができる。
【００３８】
本発明のカード用コネクタの場合、フォロワはコネクタ本体又はコンタクトに、厚さ方向に移動してコンタクトの接点を厚さ方向に変位させるように設けられておればよい。そして、フォロワがコンタクトに接点と干渉しないように接触しておればよい。これに対して上記実施形態の場合、コンタクト１２０が、導電性の弾性材料よりなり且つ奥行き方向に沿って延びる板片であり、一端が自由端になって厚さ方向に変位できようにコネクタ本体１１０に設けられており、この自由端に接点１２１が設けられ、この接点１２１よりも先端側にカード受入れ領域側からフォロワ１３０が接触している。このようにすれば、フォロワ１３０がコンタクト１２０に接触する位置がコンタクト１２０の自由端における先端側であるので、接点１２１を変位させるに必要なフォロワ１３０の押しのけ力が小さくなり、操作性が向上する。
【００３９】
本発明のカード用コネクタは、スライダとコンタクトの幅方向の位置関係を限定するものではないが、上記実施形態の場合、スライダ１４０が、コンタクト１２０に対して幅方向にずれて設けられている。このようにすれば、スライダ１４０及びコンタクト１２０が厚さ方向に干渉するおそれがないので、カード用コネクタ１００を更に薄型化することができる。
【００４０】
本発明のカード用コネクタは、例えばスライダに、カードの奥行き方向の奥側の端縁を厚さ方向に挟んで保持する狭持部材を設けた実施形態を含む。このようにすれば、この狭持部材がカードの端縁を保持することにより、スライダは挿入又は抜去されるカードと共に奥行き方向に沿ってスライドすることができる。また、本発明のカード用コネクタは、例えばコネクタ本体に、カードの奥行き方向の奥に面する端面に係止してカードを手前へ押し出すイジェクタを設けた実施形態を含む。このようにすれば、イジェクタによりカードが抜去され、簡単な構成でもってカードの抜去がなされる。これに対して上記実施形態の場合、コネクタ本体１１０に、スライダ１４０を奥行き方向の手前へ付勢する付勢部材１６０が設けられている。このようにすれば、カード２００を抜去するときに要する抜去力が少なくて済む。
【００４１】
本発明のカード用コネクタは、ストッパを設けない実施形態を含むが、上記実施形態の場合、コネクタ本体１１０に、カード２００の奥行き方向の手前に面する端面２０５に係止するストッパ１７０が設けられている。このようにすれば、カード２００が不用意に奥行き方向の手前に飛び出すことが防止される。
【００４２】
図１３及び図１４は第２の実施形態を示す。第２の実施形態の構成は第１の実施形態の構成とほぼ同様であるが、スライダ１４０が奥行き方向の一番手前にあるときの奥行き方向におけるフォロワ１３０との相対位置が異なっている。図１３及び図１４の実線矢印の方向の変化はカード２００の挿入時における変化を示し、図１３及び図１４の点線矢印の方向の変化はカード２００の抜去時における変化を示す。第１の実施形態の場合、図１０及び図１１に示したように、カード２００の挿入時、スライダ１４０にカード２００を載せた段階で既にカード２００が厚さ方向にみてコンタクト１２０の接点１２１と重なっているので、スライダ１４０が、フォロワ１３０に乗り上げて相対的にフォロワ１３０を厚さ方向に沿ってカード受入れ領域１１１から離れる方向へ押しのけている。これに対して、第２の実施形態の場合は、カード２００の挿入時、スライダ１４０にカード２００を載せた段階では未だカード２００が厚さ方向にみてコンタクト１２０の接点１２１と重なっていないので、スライダ１４０が、フォロワ１３０から離れており、接点１２１は自由状態に放置され、カード受入れ領域１１１にある。そして、図１４における上から２番目の図面の状態から３番目の図面の状態になる間に、カード２００が厚さ方向にみてコンタクト１２０の接点１２１と重なり始めるので、スライダ１４０が、フォロワ１３０に乗り上げて相対的にフォロワ１３０を厚さ方向に沿ってカード受入れ領域１１１から離れる方向へ押しのけている。このようなフォロワ１３０及びコンタクト１２０の接点１２１の一連の動きは、スライダ１４０のフォロワ１３０への乗り上げ面１４２の、奥行き方向に沿った厚さ方向の変化を調整することで実現される。
【００４３】
【発明の効果】
請求項１のカード用コネクタは、カードの挿入時及び抜去時にはコンタクトの接点をカードから離れる方向へ移動させてカードに接触させないようにしたので、コネクタの薄型化を達成しながら、コンタクトのカードに対する摺動距離を短くし又は無くして、コンタクト及びカードの傷みを防止し、寿命を長くすることができる。
【００４４】
請求項２のようにすれば、簡単な構成でもってコンタクトの接点とカードの端子との間の隙間を調整することができる。
【００４５】
請求項３のようにすれば、簡単な構成でもってスライダの厚さ方向への移動を規制することができる。
【００４６】
請求項４のようにすれば、接点を変位させるに必要なフォロワの押しのけ力が小さくなり、操作性が向上する。
【００４７】
請求項５のようにすれば、スライダ及びコンタクトが厚さ方向に干渉するおそれがないので、カード用コネクタを更に薄型化することができる。
【００４８】
請求項６のようにすれば、カードを抜去するときに要する抜去力が少なくて済む。
【００４９】
請求項７のようにすれば、カードが不用意に飛び出すことが防止される。
【図面の簡単な説明】
【図１】第１実施形態のカード用コネクタを、カバーを取り外した状態で厚さ方向からみた平面図である。仮想線で示すカードは挿入開始位置にある。
【図２】第１実施形態のカード用コネクタを厚さ方向からみた平面図である。一点の仮想線で示すカードは挿入開始位置にあり、二点の仮想線で示すカードはカード受入れ領域に位置づけられている。
【図３】第１実施形態のカード用コネクタを奥行き方向の手前からみた正面図である。
【図４】第１実施形態のカード用コネクタを幅方向からみた側面図である。
【図５】第１実施形態のカード用コネクタを、カバー、スライダ及び付勢部材を取り外した状態で厚さ方向からみた平面図である。一点の仮想線で示すカードは挿入開始位置にあり、二点の仮想線で示すカードはカード受入れ領域に位置づけられている。
【図６】第１実施形態のカード用コネクタを断面して幅方向からみた断面図である。
【図７】図６の要部を拡大した拡大断面図である。
【図８】第１実施形態のカード用コネクタをフォロワの付近で断面して奥行き方向にみた拡大断面図である。
【図９】第１実施形態のカード用コネクタを、カバーを取り外した状態で厚さ方向からみた平面図である。仮想線で示すカードはカード受入れ領域にある。
【図１０】第１実施形態のカード用コネクタでカードを挿入、抜去する状態を示す断面図である。
【図１１】図１０の要部を拡大した拡大断面図である。
【図１２】第１実施形態のカード用コネクタに挿入、抜去するカードを厚さ方向からみた平面図である。
【図１３】第２実施形態のカード用コネクタでカードを挿入、抜去する状態を示す断面図である。
【図１４】図１３の要部を拡大した拡大断面図である。
【符号の説明】
１００  カード用コネクタ
１１０  コネクタ本体
１１１  カード受入れ領域
１２０  コンタクト
１２１  接点
１３０  フォロワ
１４０  スライダ
１４２  乗り上げ面
１５０  カバー
１６０  付勢部材
１７０  ストッパ
２００  カード
２０１  幅方向に延びる辺
２０２  奥行き方向に延びる辺
２０３  端子
【図１】
2005019341.tif 000003
【図２】
2005019341.tif 000004
【図３】
2005019341.tif 000005
【図４】
2005019341.tif 000006
【図５】
2005019341.tif 000007
【図６】
2005019341.tif 000008
【図７】
2005019341.tif 000009
【図８】
2005019341.tif 000010
【図９】
2005019341.tif 000011
【図１０】
2005019341.tif 000012
【図１１】
2005019341.tif 000013
【図１２】
2005019341.tif 000014
【図１３】
2005019341.tif 000015
【図１４】
2005019341.tif 000016